(57)【要約】【課題】  外気温表示における運転者の違和感を解消する自動車の外気温表示制御システムの提供。【解決手段】  ＣＰＵ１０５ａは、算出した外気温基礎情報の値の変化率が、所定以上の降下率であると判断すると、ステップＳ３２３〜ステップＳ３３１の処理を繰り返す。この間、外気温表示部１０３には、ステップＳ３１９で表示した「準備中」を表示したままとしておき、算出した外気温を外気温表示部１０３に表示しない。これは、外気温基礎情報の値の変化率が所定以上の降下率である場合、温度検知センサ１０１が検知した温度が急激に低下していることを示し、実際の安定した外気温とは大きく離れていると考えられるからである。このため、算出した外気温を外気温表示部１０３に表示しないようにしている。実際の外気温とは異なると思われる温度を温度検知センサ１０１が検知した場合、その温度を表示しないので、外気温表示における運転者の違和感を解消できる。【選択図】  図１
2018141635.tif 000002
【特許請求の範囲】
【請求項１】
自動車において外気温の外気温表示部への表示を制御する自動車の外気温表示制御システムにおいて、
ラジエータファン、
前記ラジエータファンに対して車両前方に位置し、温度を検知する温度検知部、
前記温度検知部が検知した前記温度を外気温基礎情報として取得する外気温基礎情報取得部、
前記ラジエータファンが駆動している場合において、前記外気温基礎情報を用いて前記温度の変化率を算出する温度変化率算出部、
算出した前記変化率が、前記温度が所定の値より大きく降下していることを示していると判断すると、前記外気温表示部に、前記外気温基礎情報が示す温度、及び、前記外気温基礎情報を用いて算出する外気温を表示しないように制御する外気温表示制御部、
を有する自動車の外気温表示制御システム。
【発明の詳細な説明】
【技術分野】
【０００１】
本発明は、自動車の外気温表示制御システムに関し、特に、所定条件下において外気温を表示しないように制御するものに関する。
【背景技術】
【０００２】
従来の自動車の外気温表示制御システムについて、図５に示す外気温度表示方法を用いて説明する。外気温度表示方法では、エンジンが停止してから作動するまでのエンジン停止時間を計時し、このエンジン停止時間が所定値以内の場合、作動時の外気温度がエンジン停止直前の外気温度を越えているとき、外気温度表示手段はエンジン停止直前の外気温度を表示し、エンジン停止時間が所定値以上の場合、外気温度表示手段はエンジンが作動したときの外気温度を表示する。これにより、簡単な構成で車両の外気温度をある程度違和感なく表示可能とする（特許文献１参照）。
【先行技術文献】
【特許文献】
【０００３】
【特許文献１】特開平１１−２３３７５号公報
【発明の開示】
【発明が解決しようとする課題】
【０００４】
しかしながら、前述の外気温度表示方法には、以下に示す改善すべき点がある。炎天下等に自動車を放置していた場合、車体温度が高くなり、外気温を取得する外気温センサが熱せられ、外気温センサが取得する温度が、実際の外気温よりも高くなる。このため、外気温センサが取得した温度をそのまま表示すると、運転者に違和感を持たせたり、外気温センサ等、機器の故障と思わせてしまったりする、という改善すべき点がある。
【０００５】
そこで、本発明は、外気温表示における運転者の違和感を解消する自動車の外気温表示制御システムを提供することを目的とする。
【発明の効果】
【０００６】
本発明における課題を解決するための手段及び発明の効果を以下に示す。
【０００７】
本発明に係る自動車の外気温表示制御システムは、自動車において外気温の外気温表示部への表示を制御する自動車の外気温表示制御システムにおいて、ラジエータファン、前記ラジエータファンに対して車両前方に位置し、温度を検知する温度検知部、前記温度検知部が検知した前記温度を外気温基礎情報として取得する外気温基礎情報取得部、前記ラジエータファンが駆動している場合において、前記外気温基礎情報を用いて前記温度の変化率を算出する温度変化率算出部、算出した前記変化率が、前記温度が所定の値より大きく降下していることを示していると判断すると、前記外気温表示部に、前記外気温基礎情報が示す温度、及び、前記外気温基礎情報を用いて算出する外気温を表示しないように制御する外気温表示制御部、を有する。
【０００８】
これにより、温度検知部が検知した温度である外気温基礎情報の値の変化率が、所定の値より大きく降下している場合には、外気温表示部に、外気温基礎情報が示す温度、及び、外気温基礎情報を用いて算出する外気温を表示しない。よって、温度検知部が実際の外気温を検知していないと思われる場合に、外気温を表示しないため、外気温表示における運転者の違和感を解消できる。
【図面の簡単な説明】
【０００９】
【図１】本発明に係る一実施形態に係る自動車の外気温表示制御システム１００を示す図である。
【図２】外気温表示制御プログラムの動作を示すフローチャートである。
【図３】外気温表示制御プログラムの動作を示すフローチャートである。
【図４】外気温変化率情報の概要を示す図である。
【図５】従来の自動車の外気温表示制御システムを示す図である。
【発明を実施するための形態】
【００１０】
以下、本発明の実施例について、図面を参照しながら詳細に説明していく。
【実施例１】
【００１１】
本発明に係る自動車の外気温表示制御システム１００（以下、外気温表示制御システム１００）は、自動車の外気温表示部に所定条件下においては外気温を表示しないようにするものである。
【００１２】
第１  外気温表示制御システム１００が搭載される自動車ＡＭの構成
外気温表示制御システム１００が搭載される自動車ＡＭについて、図１に示す概略図を用いて説明する。自動車ＡＭは、ラジエータＲＤを有している。ラジエータＲＤは、車両前方のエンジンルームに配置される。ラジエータＲＤは、内部にラジエータファンＲＦを有している。また、自動車ＡＭは、冷却水温度検知センサＷＴ、日射センサＳＬ、及び、車速センサＶＳを有している。冷却水温度検知センサＷＴは、ラジエータＲＤに配置され、ラジエータＲＤの冷却水の温度を検知する。日射センサＳＬは、エアコンディショナユニットＡＣの一部として取り付けられており、所定領域の日射量を検知する。エアコンディショナユニットＡＣは、ダッシュボード内に配置される。車速センサＶＳは、自動車の車輪近傍に取り付けられ、タイヤの回転数から車速を計測する。
【００１３】
第２  外気温表示制御システム１００の構成
外気温表示制御システム１００の構成について、図１を用いて説明する。外気温表示制御システム１００は、温度検知センサ１０１、外気温表示部１０３、及び、外気温表示制御装置１０５を有している。
【００１４】
温度検知センサ１０１は、ラジエータＲＤ、ひいては、ラジエータファンＲＦに対して車両前方に配置される。つまり、温度検知センサ１０１は、ラジエータＲＤの前方の温度を検知する。
【００１５】
外気温表示部１０３は、外気温を表示するパネルである。外気温表示部１０３は、例えば、インストルメントパネル等、運転者が視認できる位置に配置される。
【００１６】
外気温表示制御装置１０５は、ＣＰＵ１０５ａ、メモリ１０５ｂ、及び、外部インターフェイス１０５ｃを有している。ＣＰＵ１０５ａは、メモリ１０５ｂに記録されているオペレーティング・システム（ＯＳ）、外気温表示制御プログラム等その他のアプリケーションに基づいた処理を行う。メモリ１０５ｂは、ＣＰＵ１０５ａに対して作業領域を提供する。また、メモリ１０５ｂは、オペレーティング・システム（ＯＳ）、外気温表示制御プログラム等、その他のアプリケーションのプログラム、及び、各種データを記録保持する。外部インターフェイス１０５ｃは、温度検知センサ１０１、冷却水温度検知センサＷＴ、日射センサＳＬ、車速センサＶＳ、及び、ラジエータファンＲＦを駆動するモータと、直接的に、または、間接的に、接続され、種々の情報を送受信する。
【００１７】
第３  外気温表示制御装置１０５の動作
外気温制御装置１０５のＣＰＵ１０５ａの動作について、図２、図３に示すフローチャートを用いて説明する。運転者は、自動車ＡＭに乗車すると、所定動作によりエンジンをスタートさせる。
【００１８】
図２に示すように、ＣＰＵ１０５ａは、エンジンがスタートしたと判断すると（Ｓ３０１）、前回のエンジンがオフとなった時からの経過時間を算出する（Ｓ３０３）。ＣＰＵ１０５ａは、算出した経過時間が、経過時間に関する外気温算出条件を満たすか否かを判断する（Ｓ３０５）。経過時間に関する外気温算出条件としては、例えば、経過時間を１時間以上とする。
【００１９】
ＣＰＵ１０５ａは、経過時間に関する外気温算出条件を満たす、つまり、例えば、前回のエンジンオフからの経過時間が１時間以上であると判断すると、日射センサＳＬの値を日射量情報として取得する（Ｓ３０７）。ＣＰＵ１０５ａは、日射量情報の値が、日射量情報に関する外気温算出条件を満たすか否かを判断する（Ｓ３０９）。日射量情報に関する外気温算出条件としては、例えば、日射量情報の値が、５００Ｗ以上とする。
【００２０】
ＣＰＵ１０５ａは、日射量情報に関する外気温算出条件を満たす、つまり、例えば、日射量情報の値が５００Ｗ以上であると判断すると、温度検知センサ１０１の値を外気温基礎情報として取得する（Ｓ３１１）。ＣＰＵ１０５ａは、外気温基礎情報の値が、外気温基礎情報に関する外気温算出条件を満たすか否かを判断する（Ｓ３１３）。外気温基礎情報に関する外気温算出条件としては、例えば、外気温基礎情報の値が、３０℃以上とする。
【００２１】
ＣＰＵ１０５ａは、外気温基礎情報に関する外気温算出条件を満たす、つまり、例えば、外気温基礎情報の値が３０℃以上であると判断すると、冷却水温度検知センサＷＴの値を冷却水温度情報として取得する（Ｓ３１５）。ＣＰＵ１０５ａは、冷却水温度情報の値が、冷却水温度情報に関する外気温算出条件を満たすか否かを判断する（Ｓ３１７）。冷却水温度情報に関する外気温算出条件としては、例えば、冷却水温度情報の値が、３５℃以上とする。
【００２２】
ＣＰＵ１０５ａは、冷却水温度情報に関する外気温算出条件を満たす、つまり、例えば、冷却水温度情報の値が３５℃以上であると判断すると、結果的に、全ての外気温算出条件（経過時間：ステップＳ３０５、日射量：ステップＳ３０９、外気温：ステップＳ３１３、冷却水：ステップＳ３１７）を満たすこととなり、外気温表示部１０３に、「準備中」と表示する（Ｓ３１９）。
【００２３】
ここで、外気温算出条件は、エンジンオフからエンジンスタートまでの経過時間、日射量情報、外気温基礎情報、及び、冷却水温度情報のそれぞれが示す値が外気温算出条件を満たしている場合、自動車ＡＭが既にある程度受熱している状態にあり、また、温度検知センサ１０１が受熱しやすい状態にあり、温度検知センサ１０１は適切に温度を検知できないと考えられるため、この段階で、温度検知センサ１０１が検知した温度を用いて外気温を算出しないようにするための条件である。また、外気温を算出しないため、外気温表示部１０３に表示する外気温が存在せず、外気温表示部１０３に外気温を表示できないので、外気温を表示しないことによる運転者の混乱を防止するため、所定の表示、ここでは「準備中」を表示する。
【００２４】
さらに、図３に示すように、ＣＰＵ１０５ａは、ラジエータファンＲＦを始動するラジエータファン始動情報を、ラジエータファンＲＦを駆動するモータに、直接的に、または、間接的に送信する（Ｓ３２１）。ＣＰＵ１０５ａは、ステップＳ３１９において外気温表示部１０３に具体的な外気温を表示せずに「準備中」と表示してから所定時間経過後（Ｓ３２３）、温度検知センサ１０１が検知した温度を外気温基礎情報として取得する（Ｓ３２５）。
【００２５】
ＣＰＵ１０５ａは、前回に取得した外気温基礎情報の値、今回取得した外気温基礎情報の値を用いて、外気温基礎情報の値の変化率を算出する（Ｓ３２７）。なお、外気温基礎情報の値の変化率は時間変化率として算出する。ＣＰＵ１０５ａは、既に、外気温表示部１０３に具体的な外気温が表示されているか否かを判断する（Ｓ３２８）。外気温表示部１０３に具体的な外気温が表示されている場合は、ステップＳ３２９、Ｓ３３１の外気温変化率の判断処理をせずに、ステップＳ３３３へ移行する。
【００２６】
ＣＰＵ１０５ａは、ステップＳ３２８において外気温表示部１０３に具体的な外気温が表示されていないと判断すると、車速センサＶＳの値を車速情報として取得する（Ｓ３２９）。ＣＰＵ１０５ａは、算出した外気温基礎情報の値の変化率が、車速に応じた所定割合以上で降下しているか否か、つまり、所定以上の降下率であるか否かを、外気温変化率情報を用いて判断する（Ｓ３３１）。
【００２７】
外気温変化率情報とは、車速と外気温基礎情報の値の変化率とを関連付けた情報である。外気温変化率情報の概要を図４に示す。外気温基礎情報の値の変化率は、車速によっても変化する。車速が遅い段階（車速＝０〜Ｖ１）においては、外気温基礎情報の値の変化率は小さい値（変化率＝Ｑ１）で安定する。その後、車速が速くなると（車速＝Ｖ１〜Ｖ２）、外気温基礎情報の値の変化率も車速の変化に応じて大きくなり（変化率＝Ｑ１〜Ｑ２）、さらに、車速が速い段階になると（車速＝Ｖ２以上）、外気温基礎情報の値の変化率は大きい値（変化率＝Ｑ２）で安定する。
【００２８】
外気温基礎情報の値の変化率が所定以上の降下率である場合（図４：斜線領域）、温度検知センサ１０１が検知した温度が急激に低下していることを示し、実際の安定した外気温とは大きく離れていると考えられる。このため、外気温基礎情報の値の変化率が所定以上の降下率である場合、温度検知センサ１０１が検知した温度を用いて外気温を算出せず、また、具体的な外気温を外気温表示部１０３に表示しない。なお、車速に応じた外気温基礎情報の値の変化率は、実験や経験則から、予め取得しておく。外気温変化率情報は、予めメモリ１０５ｂに記憶保持しておく。
【００２９】
図３に戻って、ＣＰＵ１０５ａは、算出した外気温基礎情報の値の変化率が、所定以上の降下率であると判断すると、ステップＳ３２３〜ステップＳ３３１の処理を繰り返す。この間、外気温表示部１０３には、ステップＳ３１９（図２参照）で表示した「準備中」を表示したままとしておく。つまり、ＣＰＵ１０５ａは、具体的な外気温を外気温表示部１０３に表示しない。
【００３０】
ＣＰＵ１０５ａは、算出した外気温基礎情報の値の変化率が、所定以上の降下率でないと判断すると、ステップＳ３２５で取得した外気温基礎情報の値を用いて、外気温表示部１０３に表示するための外気温を算出する（Ｓ３３３）。算出した外気温基礎情報の値の変化率が所定以上の降下率でないことは、安定した温度に近づいていることを示しているため、算出した外気温を外気温表示部１０３に表示する。なお、外気温基礎情報の値に基づく外気温の算出に際しては、これまでの経験則や、熱力学等の理論式を用いて算出する。例えば、経験則から、外気温基礎情報の値から３℃を減算した値を外気温とする。
【００３１】
なお、この段階では、通常の外気温算出処理とは異なり、減算等、単純な算術処理により外気温を算出している。これは、外気温の算出スピードを上げて、いち早く、外気温表示部１０３に算出した外気温を表示するためである。
【００３２】
ＣＰＵ１０５ａは、算出した外気温を外気温表示部１０３に表示する（Ｓ３３５）。ＣＰＵ１０５ａは、ステップＳ３２７において算出した外気温基礎情報の値の変化率が、予め定めた通常温度表示変化率以下であると判断すると（Ｓ３３６）、通常の温度表示処理を実行する（Ｓ３３７）。ここで、通常の温度表示処理とは、温度検知センサ１０１が検知した温度基礎情報を用いて、外気温を算出し、外気温表示部１０３に表示する処理をいう。また、通常温度表示変化率は、ステップＳ３３３で算出した外気温が安定したと判断できる変化率の値あり、一般的な経験則から予め所定の値を設定しておく。
【００３３】
なお、ＣＰＵ１０５ａは、ステップＳ３０５、Ｓ３０９、Ｓ３１３、Ｓ３１７において、それぞれの外気温算出条件を満たさないと判断すると（図２参照）、通常の外気温算出処理を実行する（Ｓ３３７）。
【００３４】
これにより、実際の外気温とは異なると思われる温度を温度検知センサ１０１が検知した場合、その温度を外気温表示部１０３に表示しないようにできるので、外気温表示における運転者の違和感を解消できる。
【００３５】
［他の実施形態］
（１）「準備中」の表示：前述の実施例１においては、具体的な外気温を算出しない段階では、外気温表示部１０３に「準備中」を表示するとしたが、具体的な外気温を表示できない状態にあることを示す、運転者に違和感を与えない表示であれば、例示のものに限定されない。例えば、外気温表示部１０３に、「−−−」、「ＣＯＯＬ」等を表示するようにしてもよい。また、具体的な外気温を算出しない段階では、外気温表示部１０３に何も表示しないようにしてもよい。
【００３６】
（２）外気温算出条件による外気温の算出：前述の実施例１においては、外気温算出条件による判断（図２：ステップＳ３０３〜ステップＳ３１７）の後、外気温を算出することとしたが、外気温算出条件による判断をせずに、エンジンスタート後、外気温表示部１０３に「準備中」等を表示し、外気温基礎情報の値の変化率を算出するようにしてもよい。
【００３７】
（３）フローチャート：前述の実施例１においては、図２、図３に示すフローチャートを用いて、各処理を実行するとしたが、各処理が目的とする機能を実行するものであれば、例示のフローチャートに限定されない。
【００３８】
（４）外気温表示制御装置１０５：前述の実施例１においては、外気温表示制御装置１０５はＣＰＵ１０５ａを用いて各処理を実行するとしたが、各種のロジック回路を用いて専用のロジック回路を形成するようにしてもよい。
【００３９】
（５）通常の外気温表示処理への移行：前述の実施例１においては、通常の外気温表示処理への移行にあたり、外気温基礎情報の値の変化率が、予め定めた通常温度表示変化率以下であるか否かを判断しだが（Ｓ３３６）、ステップＳ３３３で算出した外気温が実際の外気温と差がなくなってきていることを判断できるものであれば、例示のものに限定されない。例えば、ステップＳ３３３において最初に外気温を算出してから、経験則等から判断できる所定時間経過後に、通常の外気温表示処理へ移行するようにしてもよい。
【符号の説明】
【００４０】
１００      外気温表示制御システム
１０１      温度検知センサ
１０３      外気温表示部
１０５      外気温表示制御装置
１０５ａ      ＣＰＵ
１０５ｂ      メモリ
１０５ｃ      外部インターフェイス
ＲＦ      ラジエータファン
ＷＴ      冷却水温度検知センサ
ＳＬ      日射量センサ
ＶＳ      車速センサ
【図１】
2018141635.tif 000003
【図２】
2018141635.tif 000004
【図３】
2018141635.tif 000005
【図４】
2018141635.tif 000006
【図５】
2018141635.tif 000007